(57)【要約】【課題】番組の放送が中止された場合、放送されるチャンネルの変更があった場合、放送開始時刻が大幅に遅れた場合にも、長時間「Ｐ／Ｆ　ＥＩＴ」を監視しなくても録画予約のあった番組を確実に録画することができる予約システムを提供することを目的とする。【解決手段】番組放送に関する編成情報が変更されると、当該変更に基づいて作成された編成変更情報に基づいて、番組を録画する予約システム。【選択図】　図１
2004072443.tif 000002
【特許請求の範囲】
【請求項１】
番組の放送に関する編成情報に基づいて番組を再生可能な状態にする受信装置に番組と上記編成情報とを送信する送信装置おいて、
上記編成情報が変更されると、当該変更に基づいて編成変更情報を作成する編成変更情報作成手段と、
上記編成変更情報を番組と多重化して送信する多重化手段とを備えたことを特徴とする送信装置。
【請求項２】
上記編成情報が、番組の識別子、番組の放送開始時刻、番組の放送時間、番組が放送されるチャネルのうち少なくとも１つを含む請求項１に記載の送信装置。
【請求項３】
上記編成変更情報が、上記編成情報の変更を示す請求項１に記載の送信装置。
【請求項４】
番組の放送に関する情報である編成情報に基づいて番組を再生可能な状態にする受信装置において、
再生可能な状態にする番組の識別子を記憶する記憶手段と、
上記編成情報の変更に基づいて作成された編成変更情報を受信する受信手段と、
上記記憶手段に識別子が記憶された番組に関する編成変更情報を上記受信手段が受信した場合、当該編成変更情報に基づいて当該番組を再生可能な状態にする予約制御手段とを備えたことを特徴とする受信装置。
【請求項５】
上記編成情報が、番組の識別子、番組の放送開始時刻、番組の放送時間、番組が放送されるチャネルのうち少なくとも１つを含む請求項４に記載の受信装置。
【請求項６】
上記編成変更情報が、上記編成情報の変更を示す請求項４に記載の受信装置。
【請求項７】
上記再生可能な状態が、番組を記録した状態、番組を再生する状態のうち、少なくともいずれかの状態を含む請求項４に記載の受信装置。
【請求項８】
番組と番組の放送に関する編成情報とを送信する送信装置と、上記編成情報に基づいて番組を再生可能な状態にする受信装置とから構成される番組予約システムにおいて、
上記編成情報が変更されると、当該変更に基づいて編成変更情報を作成する編成変更情報作成手段と、
上記編成変更情報を番組と多重して送信する多重化手段とを備えた送信装置と、
再生可能な状態にする番組の識別子を記憶する記憶手段と、
上記編成変更情報を受信する受信手段と、
上記記憶手段に識別子が記憶された番組に関する編成変更情報を上記受信手段が受信した場合、当該編成変更情報に基づいて番組を再生可能な状態にする予約制御手段とを備えた受信装置とから構成されることを特徴とする番組予約システム。
【発明の詳細な説明】
【０００１】
【発明の属する技術分野】
本発明は、番組の放送に関する編成情報と番組とを送信する送信装置と、上記編成情報を用いて番組を再生可能な状態にする受信装置に関するものである。
【０００２】
【従来の技術】
近年、テレビ放送がデジタル化され、テレビ放送を通してＥＰＧ（ＥｌｅｃｔｒｏｎｉｃＰｒｏｇｒａｍｍｉｎｇ　Ｇｕｉｄｅ：ＥＰＧ）なるサービスが提供されている。上記ＥＰＧを提供するために、テレビ放送には、番組に関する番組情報が番組と多重化されて放送されている。
【０００３】
ＩＳＯ／ＩＥＣ１３８１８−１及びＡＲＩＢ　ＳＴＤ　Ｂ−１０の規格に沿ったテレビ放送の送信装置は、上記番組情報をｓｃｈｅｄｕｌｅ　ＥＩＴ（Ｅｖｅｎｔ　Ｉｎｆｏｒｍａｔｉｏｎ　Ｔａｂｌｅ）（以下、「Ｓ　ＥＩＴ」という）に記述された形態で放送している。上記「Ｓ　ＥＩＴ」は、各チャネルにて放送され、「Ｓ　ＥＩＴ」に記述される番組情報とは、一般的に所定期間内（例えば、１週間以内）に放送される全放送局の全チャネルの番組情報である。即ち、受信装置は、一つのチャネルにて放送される「Ｓ　ＥＩＴ」を受信しておけば、全チャネルの番組情報を得ることができるようになっている。
【０００４】
受信装置は、上記番組情報を受信すると、当該番組情報に基づいて図１０に示すように時間軸とチャネル軸とを持った２次元の番組表９１１を作成し、テレビモニタ等に表示する。当該番組表９１１には、各番組が放送されるチャネル９１３（以下、「放送チャネル９１３」という）、番組の識別子９１４、放送開始時刻９１５、放送時間９１６、番組のタイトルや内容等９１７が表示される。
【０００５】
視聴者は、当該番組表９１１に表示された番組の識別子をリモコン等を用いて受信装置に入力するだけで、当該番組の録画を受信装置に実行させることができる。
【０００６】
上記受信装置は、視聴者にて番組の識別子が入力されると、当該番組（録画予約された番組）の番組情報を、録画予約の状況を記憶する記憶手段に格納する。受信装置の予約制御手段は、当該記憶手段に記憶された番組情報に含まれる放送開始時刻の少し前になると、チューナを当該番組の放送チャネルに合わせる。
【０００７】
デジタル放送では、各チャネルには、番組と上記番組情報（「Ｓ　ＥＩＴ」）とに加えて、さらに、Ｐｒｅｓｅｎｔ／Ｆｏｌｌｏｗｉｎｇ　ＥＩＴ（以下、「Ｐ／Ｆ　ＥＩＴ」という）が多重化されて放送されている。この「Ｐ／Ｆ　ＥＩＴ」は、全放送局の全チャネルが現在放送している番組と、次に放送する予定の番組の識別子が記述されたテーブルである。即ち、受信装置は、一つのチャネルを受信しておけば、他のチャネルにて現在放送または次に放送される予定の番組を知ることができる。
【０００８】
録画予約された番組の放送開始時刻の前は、上記「Ｐ／Ｆ　ＥＩＴ」のうち次に放送が予定されている番組を示すテーブル（ＦｏｌｌｏｗｉｎｇＥＩＴ）に録画予約された番組の識別子が含まれている。そして、放送開始時刻になると、現在放送されている番組を示すテーブル（Ｐｒｅｓｅｎｔ　ＥＩＴ）に録画予約された番組の識別子が含まれることになる。
【０００９】
録画予約された番組の放送開始直前（例えば約５秒前）になると、上記予約制御手段は、当該番組の放送チャネルにチューナを合わせて、当該チャネルに関する「Ｐ／Ｆ　ＥＩＴ」の監視を開始する。上記予約制御手段は、このようにチューナを録画予約のあった番組の放送チャネルに合わせると、当該番組の録画が終了するまで、チューナが受信するチャネルの変更を行わない。
【００１０】
Ｐｒｅｓｅｎｔ　ＥＩＴに録画予約された番組の識別子を検出すると、上記予約制御手段は、現在受信している番組の映像、音声、データ等をデコードして録画する。なお、上記予約制御手段は、受信した番組をデコードせずに、放送された状態で番組、音声、データ等を録画してもよい。
【００１１】
また、帯域の消費量を節約するために、上記「Ｓ　ＥＩＴ」は、２０秒から３分という長い周期で、上記「Ｐ／Ｆ　ＥＩＴ」は、１秒から１０秒という短い周期で、それぞれ番組やその他のテーブルと多重されて放送されている。
【００１２】
ところで、デジタル放送では、運用の都合上、番組の放送時間の延長や、番組の放送が途中で中断されることや、放送開始時刻が遅れることがある。このようなことがあっても、録画予約のあった番組のみを録画することができるように、上記予約制御手段は、録画予約された番組の放送開始時刻の少し前からＰｒｅｓｅｎｔ　ＥＩＴに録画予約のあった番組の識別子が含まれなくなるまで、「Ｐ／Ｆ　　ＥＩＴ」を監視している。そして、上記予約制御手段は、Ｐｒｅｓｅｎｔ　ＥＩＴに録画予約があった番組の識別子が含まれなくなった時点で番組の録画を終了する。
【００１３】
このように受信装置は、「Ｐ／Ｆ　ＥＩＴ」に録画予約のあった番組の識別子が含まれている期間のみ番組の録画を行うことで、放送時間の延長があった場合でも、途中で放送が中断された場合であっても、録画予約のあった番組のみを録画することができる。
【００１４】
これは、放送時間の延長があった場合、録画予約のあった番組の識別子が「Ｐ／Ｆ　ＥＩＴ」に含まれる時間は延長の分だけ長くなり、放送が中断された場合は、中断された時点で録画予約のあった番組の識別子は「Ｐ／Ｆ　ＥＩＴ」に含まれなくなるからである。
【００１５】
また、番組の放送開始時刻が遅れた場合は、遅れた分だけ録画予約のあった番組の識別子が「Ｐ／Ｆ　ＦＩＴ」に含まれる時刻が遅れる。
【００１６】
従って、当初予定されていた放送開始時刻の少し前から「Ｐ／Ｆ　ＥＩＴ」を監視し続けていれば、放送時間の延長、放送の中断、放送開始時刻の遅れがあっても、受信装置は、録画予約のあった番組のみを録画することができる。
【００１７】
【発明が解決しようとする課題】
しかし、番組の放送前に番組の放送中止が決定したときは、番組の識別子は、「Ｐ／Ｆ　ＥＩＴ」に含まれることはない。よって、録画予約のあった番組の放送が中止されたときは、受信装置は、当初の放送開始時刻から「Ｐ／Ｆ　ＥＩＴ」を永久に、または予め決められた期間（例えば、数時間、数日）監視し続けることになる。
【００１８】
同様に、受信装置は、録画予約のあった番組の放送開始直前になると、当初放送される予定であった放送チャネルの「Ｐ／Ｆ　ＥＩＴ」を監視するため、当該番組が他のチャネルで放送されることになると、「Ｐ／Ｆ　ＥＩＴ」から録画予約のあった番組の識別子を検出することができない。
【００１９】
そのため、放送チャネルが変更された場合についても録画予約のあった番組の識別子を検出するためには、受信装置は、全てのチャネルの「Ｐ／Ｆ　ＥＩＴ」を監視しなければならないことになる。この場合、全チャネルの「Ｐ／Ｆ　ＥＩＴ」を監視するためには、新たな装置を備える必要があり、受信装置の製造コストが高くなってしまう。
【００２０】
また、放送開始時刻が遅れた場合は、遅れた分だけ録画予約のあった番組の識別子が「Ｐ／Ｆ　ＥＩＴ」に含まれる時刻が遅れるので、遅れた分だけ「Ｐ／ＦＥＩＴ」を監視する時間が長くなってしまう。よって、放送開始時刻が大幅に遅れれば遅れるほど、「Ｐ／Ｆ　ＥＩＴ」の監視時間が長くなってしまう。
【００２１】
長時間「Ｐ／Ｆ　ＥＩＴ」を監視するためには、長時間「Ｐ／Ｆ　ＥＩＴ」を監視することで、受信装置の消費電力が大きくなるため、経済的な観点から好ましくなく、加えて、録画予約のあった番組の放送開始直前から、当該番組の録画が終了するまでの間は、受信装置は録画予約のあった番組が放送されるチャネルを受信する状態になる。よって、その間は、受信装置は、他のチャネルにて放送される番組を受信しない。
【００２２】
例えば、図１１に示すように番組Ａの放送開始時刻が１５：００から１８：００に変更された場合、受信装置は、図１１に示すように当初予定されていた番組開始時刻（１５：００）の少し前から、番組Ａの実際の放送が終了される（１９：００）まで、ずっと番組Ａが放送されるチャネル（１０１ｃｈ）の受信し続けることになる。
【００２３】
従って、１５：００から１９：００の間に、他のチャネル（１０５ｃｈ）で放送される番組Ｂについての録画予約がある場合、受信装置は当該番組Ｂを録画することができない。
【００２４】
そこで、本発明は、番組の放送が中止された場合、放送されるチャンネルの変更があった場合、放送開始時刻が大幅に遅れた場合にも、「Ｐ／Ｆ　ＥＩＴ」の監視時間が長くならずに、録画予約のあった番組を確実に録画することができ、かつ安価な番組予約システムを提供することを目的とする。
【００２５】
【課題を解決するための手段】
本発明では、番組の放送開始時刻、放送中止、放送チャネル等によって、番組の放送に関する編成情報に変更があった場合、番組の送信装置は、これらの変更を示す編成変更情報を作成し、当該編成変更情報を番組と多重して送信する。
【００２６】
受信装置は、上記送信装置から送信された編成変更情報を受信すると、当該編成変更情報が、当該受信装置の記憶手段に記憶された再生可能な状態にすべき番組の編成情報の変更を示すかどうか判断する。再生可能な状態にすべき番組の編成変更を示すと判断した場合、受信装置は、当該編成変更情報に基づいて番組を再生可能な状態とする。再生可能な状態とは、例えば、番組を録画することや、モニタ等の表示媒体や、スピーカ等で番組を再生することができる状態にすることである。
【００２７】
このように編成情報の変更を示す編成変更情報に基づいて番組を再生可能な状態にすることで、番組の放送が中止された場合、放送されるチャンネルの変更があった場合、放送開始時刻が大幅に遅れた場合にも、「Ｐ／Ｆ　ＥＩＴ」を長時間監視しなくても、受信装置は、録画予約のあった番組を確実に録画することができ、かつ安価な番組予約システムを実現することができる。
【００２８】
【発明の実施の形態】
（実施の形態１）
図１は、テレビ放送局が、番組等の放送に送信装置１００を用い、視聴者が、テレビ放送局から放送される番組等を受信するために受信装置２００を用いている場合を示している。
【００２９】
上記送信装置１００は、録画番組が記憶された番組サーバ１４１や、スタジオ１４２や中継基地１４３と有線或いは無線で接続されており、番組サーバ１４１やスタジオ１４２や中継基地１４３から予め定められた番組スケジュールに従って番組が送出される。当該送出された番組は、送信装置１００に備えられた多重化手段１０６に入力されて、下記の番組情報と多重化されて放送される。
【００３０】
上記送信装置１００には、さらに番組と多重化して放送される番組情報を記憶する番組情報記憶手段１０２が備えられている。当該番組情報記憶手段１０２に記憶される番組情報には、自局が放送する番組だけでなく、他局が放送する番組の番組情報も含まれる。
【００３１】
自局が放送する番組の番組情報の上記番組情報記憶手段１０２への入力は、テレビ放送局の職員が、上記送信装置１００に備えられたキーボードやマウス等の入力手段１０１を用いて行ったり、上記番組情報記憶手段１０２とＬＡＮ等で接続された情報端末を用いて行ったりする。また、他局が放送する番組の番組情報は、全テレビ放送局が放送する番組の番組情報を収集する集配センタ１４４等から専用回線や、公衆通信回線を介して入力される。
【００３２】
なお、図２は、上記番組情報記憶手段１０２が記憶する番組情報の模式図であり、この番組情報とは、従来技術の記載と同様に、番組の放送チャネル９１３、番組の識別子９１４、放送開始時刻９１５、放送時間９１６、番組のタイトルや内容等９１７から構成されている。
【００３３】
上記番組情報記憶手段１０２に記憶された番組情報は、所定の周期で送信装置１００に備えられたＥＩＴ（Ｅｖｅｎｔ　Ｉｎｆｏｒｍａｔｉｏｎ　Ｔａｂｌｅ）作成手段１０３にて取得されて、「Ｓ　ＥＩＴ」、「Ｐ／Ｆ　ＥＩＴ」に記述される。「Ｓ　ＥＩＴ」及び「Ｐ／Ｆ　ＥＩＴ」は、上記従来技術に記載した通りのテーブルである。
【００３４】
即ち、上記ＥＩＴ作成手段１０３は、所定周期（例えば、１分間隔）で所定期間（例えば、１週間）分の全局の番組情報を上記番組情報記憶手段１０２から取得して、「Ｓ　ＥＩＴ」を作成する。また、上記ＥＩＴ作成手段１０３は、所定周期（例えば、１秒周期）で全局にて現在放送されている番組の識別子と、次に放送される予定の番組の識別子とを取得して、「Ｐ／Ｆ　ＥＩＴ」を作成する。上記ＥＩＴ作成手段１０３は、「Ｓ　ＥＩＴ」と「Ｐ／Ｆ　ＥＩＴ」を作成すると、その都度「Ｓ　ＥＩＴ」と「Ｐ／Ｆ　ＥＩＴ」とを上記多重化手段１０６に入力する。
【００３５】
上記多重化手段１０６には、上述のように所定の周期で「Ｓ　ＥＩＴ」、「Ｐ／Ｆ　ＥＩＴ」が入力されるので、当該多重化手段１０６は、「Ｓ　ＥＩＴ」、「Ｐ／Ｆ　ＥＩＴ」が入力されたときは、これらを番組と多重化して放送することになる。
【００３６】
上記多重化手段１０６から放送された番組、「Ｓ　ＥＩＴ」、「Ｐ／Ｆ　ＥＩＴ」は、図１に示す受信装置２００の受信手段２１０を構成するチューナ２０９を介して分離手段２０１にて受信される。なお、チューナ２０９は常時番組、「Ｓ　ＥＩＴ」、「Ｐ／Ｆ　ＥＩＴ」を受信してもよいし、例えば視聴者にて電源が投入された時のみ、番組、「Ｓ　ＥＩＴ」、「Ｐ／Ｆ　ＥＩＴ」を受信してもよい。
【００３７】
上記分離手段２０１は、受信した番組、「Ｓ　ＥＩＴ」、「Ｐ／Ｆ　ＥＩＴ」をそれぞれに分離して、番組をデコーダ２０２に入力し、「Ｓ　ＥＩＴ」をイベント処理手段２０３に入力し、「Ｐ／Ｆ　ＥＩＴ」を予約制御手段２０４に入力する。
【００３８】
上記デコーダ２０２は、上記予約制御手段２０４からの指示がなく、モニタ２０５やスピーカ２０６電源が入っている場合は、番組にかけられたスクランブル等を解除して、番組をモニタ２０５やスピーカ２０６に入力する。また、モニタ２０５やスピーカ２０６電源が入っていなければ、例えば番組をデコードせずに破棄する。
【００３９】
また、イベント処理手段２０３は、例えば視聴者の指示によって、上記分離手段２０１から入力された「Ｓ　ＥＩＴ」を用いて、従来技術に記載のように番組表９１１を作成して、下記の要領にてモニタ２０５に表示する。
【００４０】
視聴者が番組表９１１をモニタ２０５に表示させるには、例えば図３に示す受信装置２００のリモコン３００のメニューキー３０１を押下して、イベント処理部２０３に図４に示す録画予約用画面２６０をモニタ２０５に表示させる。そして視聴者は、リモコン３００のカーソルキー３０２を用いてモニタ２０５に表示されたカーソル２６１を移動させてＥＰＧ表示２６２を選択する。
【００４１】
ＥＰＧ表示２６２が選択されると、イベント処理手段２０３は、「Ｓ　ＥＩＴ」を用いて図１０に示すような番組表９１１を作成し、モニタ２０５に表示する。
【００４２】
モニタ２０５に番組表９１１が表示された状態で、録画予約をする場合、視聴者は、リモコン３００のカーソルキー３０２やマウス等を用いて録画予約したい番組の番組欄９１８を選択する。
【００４３】
番組欄９１８が選択されると、上記イベント処理部２０３は、図５に示すような録画予約の確認画面をモニタ２０５に表示し、視聴者に番組の選択に誤りがないかどうかを確認させる。視聴者が、リモコン３００のカーソルキー３０２を用いて確認画面の「ＹＥＳ」を選択した場合、イベント処理部２０３は、図６に示す記憶手段２０７が保持する予約テーブル６００に録画予約のあった番組の番組情報９１２と、録画状況６０１とを関連付けて登録する。なお、この時点においては、未だ番組を録画していないので、イベント処理部２０３は、上記録画状況６０１として「録画未実行」を予約テーブル６００に登録する。
【００４４】
なお、図５の録画予約の確認画面において「ＮＯ」が選択された場合、イベント処理部２０３は、モニタ２０５の表示を番組表９１１に戻す。
【００４５】
しかしながら、録画予約が行われてから、実際に番組が放送されるまでの間に、番組スケジュールが変更されることがある。この変更とは、番組の放送時間の延長、番組の放送中止、番組の放送の中断、放送開始時刻の遅れ、放送チャネル９０３の変更等である。
【００４６】
このような変更があるときは、テレビ放送局は、番組の放送に関する情報である編成情報を作成し直す。この編成情報とは、番組の放送開始時刻、番組の放送を中止するか否か、番組の放送時間、放送チャネル等である。
【００４７】
例えば、図６に示す予約テーブル６００に登録された歌番組Ｃ（識別子：２７６５７）の放送開始を１週間遅らせ（放送開始時刻を２００２年５月１０日１９：００に変更）、放送チャネル９１３を１０３ｃｈから１０５ｃｈに変更する場合、テレビ放送局は、入力手段１０１を用いて、上記番組情報記憶手段１０２に歌番組Ｃの識別子と変更後の放送開始時刻と放送チャネルを入力する。
【００４８】
図２に示すように上記番組情報記憶手段１０２には、既に歌番組Ｃの放送開始時刻と放送チャネルが記憶されているので、上記番組情報記憶手段１０２には、歌番組Ｃの放送開始時刻と放送チャネルが２つづつ入力されたことになる。このように、１つの情報について複数の値の入力があると、送信装置１００に備えられた編成変更情報作成手段１０４は、当該編成情報に変更があったことを検知する。
【００４９】
よって、ここでは編成変更情報作成手段１０４は、歌番組Ｃの放送開始時刻と放送チャネルに変更があったことを検知することになる。すると、上記編成変更情報作成手段１０４は、図７に示すような編成変更情報を作成する。この編成変更情報は、番組の識別子を記述する領域７０１と、放送開始時刻の変更があるか否を示すフラグ領域７０２と、放送チャネルの変更があるか否かを示すフラグ領域７０３と、番組の放送中止がされたか否かを示すフラグ領域７０４と、変更後の放送開始時刻を記述する領域７０５と、変更後の放送チャネルを記述する領域７０６とから構成される。
【００５０】
本実施の形態では、歌番組Ｃの放送開始時刻と放送チャネルに変更があるので、番組の識別子を記述する領域７０１には、歌番組Ｃの識別子（２７５６７）が記述され、さらに、上記フラグ領域７０２と上記フラグ領域７０３には、放送開始時刻及び放送チャネルの変更があることを示す値（ここでは「１」）がそれぞれに記述される。また、上記フラグ領域７０４には放送が中止とならないことを示す値（ここでは「０」）が記述される。また、上記領域７０５には、放送開始時刻を２００２年５月１０日１９：００が、上記領域７０６には１０５ｃｈが記述される。
【００５１】
このように編成変更情報を編成情報の変更を示す情報だけから構成するのは、編成変更情報の情報量をできるだけ小さくして、編成変更情報を番組や番組情報等の伝送レート等を落とすことなく番組や番組情報等と多重化して放送することができるようにするためである。
【００５２】
上記編成変更情報作成手段１０４は、上記のように作成した上記編成変更情報を所定の間隔（例えば約１秒間隔）で上記多重化手段１０６に入力する。
【００５３】
上記多重化手段１０６は、上記編成変更情報が入力されると、当該編成変更情報を番組や「Ｓ　ＥＩＴ」や「Ｐ／Ｆ　ＥＩＴ」と多重化して放送する。
【００５４】
ところで、受信装置２００の上記予約制御手段２０４は、随時図６に示す予約テーブル６００を参照して、予約テーブル６００に登録された放送開始時刻９１５の迫っている番組があるかどうかを監視している。
【００５５】
例えば、予約テーブル６００に登録された歌番組Ｃの放送開始時刻（２００２／５／３　１９：００）の直前になると、上記予約制御手段２０４は、当該歌番組Ｃの放送チャネル９１３を読み取って、チューナ２０９を１０３ｃｈに合わせる（図８、Ｓ８０１→Ｓ８０２）。なお、チューナ２０９が常時番組等を受信していない場合は、上記予約制御手段２０４は、チューナの電源を投入して、チューナ２０９を１０３ｃｈに合わせる。
【００５６】
そして、上記予約制御手段２０４は、録画処理が終わるまで、チューナの制御権を保持してチューナ２０９が受信するチャネルを１０３ｃｈに保つ。
【００５７】
上記分離手段２０１は１０３ｃｈの放送を受信すると、当該チャネルにて放送される番組、「Ｓ　ＥＩＴ」、「Ｐ／Ｆ　ＥＩＴ」、編成変更情報をそれぞれに分離して、番組をデコーダ２０２に、「Ｓ　ＥＩＴ」を上記イベント処理手段２０３に、「Ｐ／Ｆ　ＥＩＴ」と編成変更情報とを上記予約制御手段２０４に入力する。
【００５８】
「Ｐ／Ｆ　ＥＩＴ」と編成変更情報とが入力されると、上記予約制御手段２０４は、当該編成変更情報に歌番組Ｃの識別子（２７６５７）が含まれているか否かを判断する（図８、Ｓ８０３）。
【００５９】
本実施の形態では、図７に示すように編成変更情報には、歌番組Ｃの識別子（２７６５７）が含まれているので、上記予約制御手段２０４は、フラグ領域７０４を参照して歌番組Ｃの編成変更情報が、歌番組Ｃの放送中止を示す情報かどうか判断する（図８、Ｓ８０４）。
【００６０】
仮に、放送中止を示す情報であると判断した場合、上記予約制御手段２０４は、録画処理を終了し、予約テーブル６００から歌番組Ｃの録画状況６０１を「録画未実行」から「放送中止」に更新する（図８、Ｓ８０４、Ｙ→Ｓ８１２）。
【００６１】
本実施の形態では、図７に示すようにフラグ領域７０４には、放送中止を示す値（ここでは「１」）が記述されていないので、上記予約制御手段２０４は、フラグ領域７０３に、放送チャネルの変更を示す値が記述されているかどうを判断する（図８、Ｓ８０４、Ｎ→Ｓ８０５）。
【００６２】
本実施の形態においては、上記フラグ領域７０３には、放送チャネルの変更を示す値が記述されているので、上記予約制御手段２０４は、上記領域７０６に記述された放送チャネル（１０５ｃｈ）に受信装置２００のチューナ２０９を合わせる。そして、上記予約制御手段２０４は、予約テーブル６００の歌番組Ｃの放送チャネル９１３を１０５ｃｈに更新する（図８、Ｓ８０５、Ｙ→Ｓ８０６）。
【００６３】
なお、上記において、録画処理が終わるまで、チューナ２０９の制御権を保持してチューナ２０９が受信するチャネルを１０３ｃｈに保つと記載したが、編成変更情報のフラグ領域７０３に放送チャネルの変更を示す値がある場合のみ、上記予約制御手段２０４はチューナ２０９が受信するチャネルの変更を行う。
【００６４】
放送チャネルの更新をすると、上記予約制御手段２０４は、上記フラグ領域７０２に、放送開始時刻の変更を示す値が記述されているかどうかを判断する（図８、Ｓ８０７）。
【００６５】
上記フラグ領域７０２には、放送開始時刻の変更を示す値が記述されているので、上記予約制御手段２０４は、上記領域７０５に基づいて、図６に示す予約テーブル６００の歌番組Ｃの放送開始時刻９１５を更新する。即ち、ここでは、放送開始時刻９１５を（２００２／５／１０　１９：００）に更新することになる（図８、Ｓ８０８）。
【００６６】
なお、上記判断処理Ｓ８０７において、フラグ領域７０２に放送開始時刻の変更を示す値が記述されていないと判断した場合、上記予約制御手段２０４は、後述する番組の録画処理に移行することになる（図８、Ｓ８０７、Ｎ→Ｓ８０９）。
【００６７】
上記予約制御手段２０４は、予約テーブル６００の放送開始時刻９１５を更新すると、更新後の放送開始時刻９１５の直前になるまで録画処理を中断する（図８、Ｓ８０８→Ｓ８０１）。なお、録画処理が中断しているときは、上記予約制御手段２０４は、チューナ２０９の制御権を放棄する。
【００６８】
更新後の放送開始時刻（２００２／５／１０　１９：００）の直前になると、上記予約制御手段２０４は、予約テーブル６００から歌番組Ｃの放送チャネル９１３を読み取って、チューナ２０９を１０５ｃｈに合わせ、チューナ２０９の制御権を保持する。これにより、上記分離手段２０１は１０５ｃｈを受信して、上記のように、番組をデコーダ２０２に入力し、「Ｓ　ＥＩＴ」をイベント処理手段２０３に入力し、「Ｐ／Ｆ　ＥＩＴ」と編成変更情報とを上記予約制御手段２０４に入力する。
【００６９】
上記予約制御手段２０４は、編成変更情報が入力されると、当該編成変更情報に歌番組Ｃの識別子が含まれているか否かを判断する（図８、Ｓ８０２→Ｓ８０３）。
【００７０】
なお、本実施の形態においては、上記歌番組Ｃの編成情報の変更は、１回であるとする。よって、上述のように編成変更情報には歌番組Ｃの識別子が含まれているが、当該編成変更情報の領域７０５、７０６にて示される放送開始時刻、放送チャネルと、予約テーブル６００に登録された放送開始時刻９１５、放送チャネル９１３とが一致するので、上記予約制御手段２０４は、編成情報に変更が無かったものとみなして、歌番組Ｃの録画処理に移行する（図８、Ｓ８０９）。
【００７１】
録画処理に移行すると、上記予約制御手段２０１は、従来技術に記載のように上記分離手段２０１から入力される１０５ｃｈの「Ｐ／Ｆ　ＥＩＴ」を監視して、歌番組Ｃの識別子９１４がＰｒｅｓｅｎｔ　　ＥＩＴに含まれるか否かを判断する。
【００７２】
Ｐｒｅｓｅｎｔ　　ＥＩＴに歌番組Ｃの識別子９１４が含まれると、上記予約制御手段２０４は、予約テーブル６００の歌番組Ｃの録画状況６０１を「録画未実行」から「録画中」に更新する。そして、デコーダ２０２に番組を上記記憶手段２０７に出力するように指示する。このようにして、録画予約のあった番組は、上記記憶手段２０７に記憶されることになる。なお、番組の出力先は、上記記憶手段２０７でなく、ＤＶＤ―ＲやＤ−ＶＨＳ等の受信装置２００に対して着脱可能な可搬記憶媒体でもよい。
【００７３】
上記予約制御手段２０４は、従来と同様に歌番組Ｃの識別子がＰｒｅｓｅｎｔ　　ＥＩＴに含まれなくなるまで、上記分離手段２０１から入力される１０５ｃｈの「Ｐ／Ｆ　ＥＩＴ」を監視し続ける。歌番組Ｃの識別子がＰｒｅｓｅｎｔ　　ＥＩＴに含まれなくなると、上記予約制御手段２０４は、デコーダ２０２に番組の上記記憶手段２０７等への出力を中止するように指示する。当該指示を出すと、上記予約制御手段２０４は、録画処理を終了して、チューナの制御権を放棄する（図８、Ｓ８１１）。上記予約制御手段２０４は、録画処理を終了すると、上記予約テーブル６００の歌番組Ｃの録画状況６０１を「録画中」から「録画完了」に更新する（図８、Ｓ８１２）。
【００７４】
なお、歌番組の放送中に、視聴者が、リモコン３００等を用いて受信装置２００に録画中止命令を入力した場合、上記予約制御手段２０４は、デコーダ２０２に番組の上記記憶手段２０７等への出力を中止するように指示し、録画処理を強制終了させる（図８、Ｓ８１０、Ｙ）。強制的終了させた場合、上記予約制御手段２０４は、予約テーブル６００の歌番組Ｃの録画状況６０１を「録画中」から「強制終了」に更新する（図８、Ｓ８１２）。
【００７５】
以上のように、上記編成変更情報に基づいて番組の録画を行うことで、番組の放送開始時間が１週間遅れたとしても、上記予約制御手段２０４は、１週間の間「Ｐ／Ｆ　ＥＩＴ」を監視する必要はない。また、録画予約された番組の放送が中止された場合は、中止された旨の編成変更情報が放送されるので、上記予約制御手段２０４は、当該編成変更情報を受け取ると、当該番組の録画処理を行わなくなる。よって、上記予約制御手段２０４が、長時間「Ｐ／Ｆ　ＥＩＴ」を監視することを防ぐことができる。
【００７６】
さらに放送チャネルの変更があっても、編成変更情報に変更後の放送チャネルが記述されているので、上記予約制御手段２０４は、全チャネルの「Ｐ／Ｆ　ＥＩＴ」を監視しなくても、録画処理を行う直前に編成変更情報を参照するだけで放送チャネルの変更を知ることができる。
【００７７】
また、上記のように予約テーブル６００の録画状況６０１が録画処理に伴なって更新されることで、視聴者は、各番組の録画状況の確認をすることができる。
【００７８】
例えば、視聴者は上記のようにリモコン３００のメニューキー３０１を押下すると、上記イベント処理手段２０３は、図４に示す録画予約用画面２６０をモニタ２０５に表示する。視聴者は、ここでカーソル３０１等を用いて録画状況２６３を選択する。
【００７９】
録画状況が選択されると、上記イベント処理手段２０３は、図６に示す予約テーブル６００をモニタ２０５に表示する。視聴者は、表示された予約テーブル６００を見ることで、録画状況を確認することができる。
【００８０】
なお、上記では予約制御手段２０４は、デコーダ２０２に対して録画予約のあった番組を上記記憶手段２０７等にのみ出力するよう指示している場合について説明したが、上記記憶手段２０７だけでなくモニタ２０５やスピーカ２０６にも出力して番組をリアルタイムに再生してもよい。
【００８１】
また、上記予約制御手段２０４は、従来と同様にＰｒｅｓｅｎｔ　ＥＩＴに録画予約された番組の識別子が含まれている間だけ、番組を記憶手段２０７等に出力するように指示しているので、番組の放送時間の延長や放送の中断等があっても、録画予約のあった番組のみを録画することができる。
【００８２】
なお、番組放送の延長画あると、録画予約のあった番組の識別子がＰｒｅｓｅｎｔＥＩＴに含まれる時間が予約テーブル６００の放送時間９１６よりも長くなる。その場合、上記予約制御手段２０４は、録画処理を終了した後、予約テーブル６００の録画状況６０１を「録画中」から「録画完了（延長）」に更新する。一方、番組放送の中断により、録画予約のあった番組の識別子がＰｒｅｓｅｎｔＥＩＴに含まれる時間が予約テーブル６００の放送時間９１６よりも短くなった場合は、予約テーブル６００の録画状況６０１を「録画中」から「録画完了（中断）」に更新する。
【００８３】
上記では予約制御手段２０４は、予約テーブル６００に登録された放送開始時刻９１５の直前になってから、編成変更情報を受信して編成情報に変更があったかどうかを確認しているようになっている。このよう直前になってから編成情報の変更の確認を行うのは、予約制御手段２０４の負担を少なくするためである。
【００８４】
即ち、予約制御手段２０４への負担を考慮しなければ、常にチューナ２０９や、分離手段２０１の電源を入れた状態にしておき、予約制御手段２０４は、常にチューナ２０９が受信した編成変更情報と予約テーブル６００とを参照して、録画予約のあった番組の編成情報に変更があったか否かを確認するような構成としても良い。この構成においても、上記予約制御手段２０４は、編成情報に変更があったことを確認すると、編成変更情報に基づいて予約テーブル６００を更新する。
【００８５】
上記では編成変更情報は、放送によって配信されている場合について説明したが、上記編成変更情報は、インターネット１５０等のネットワークを通して配信してもよい。
【００８６】
例えば図９に示すインターネット１５０にて配信する場合、上記編成変更情報作成手段１０４にて作成されてた編成変更情報は編成変更情報記憶サーバ１０５に入力される。
【００８７】
一方受信装置２００をインターネット１５０に接続するために上記受信手段２１０にモデム２１１を備えておく。
【００８８】
上記予約制御手段２０４は、予約テーブル６００に登録された放送開始時刻９１５の直前になると、モデム２１１を介して編成変更情報記憶サーバ１０５にアクセスして、編成変更情報を取得する。上記予約制御手段２０４は、取得した編成変更情報に基づいて、放送開始時刻が直前の番組の編成情報に変更があったかどうかを判断する。
【００８９】
変更がないと判断すると、上記予約制御手段２０４は、上記録画処理に移行し、変更があると判断した場合、取得した編成変更情報に基づいて、上記予約テーブル６００を更新する。
【００９０】
【発明の効果】
このように編成情報の変更を示す編成変更情報を放送することで、番組の放送の中止、放送されるチャンネルの変更、放送開始時刻が大幅に遅れを、予約制御手段は検知することができる。よって、予約制御手段は、「Ｐ／Ｆ　ＥＩＴ」を長時間監視しなくても、番組の放送が中止した場合を除き、録画予約のあった番組を確実に録画することができる。また、予約制御手段２０４は、編成変更情報に基づいて、「Ｐ／Ｆ　ＥＩＴ」を監視するので、当該予約制御手段２０４は、「Ｐ／Ｆ　ＥＩＴ」を長時間監視することはないので、安価な番組予約システムを実現することができる。
【００９１】
また、上記編成変更情報は、編成情報のうち変更のあった情報のみから構成されるために情報量が大きくないので、番組や番組情報等の伝送レート等を落とすことなく番組や番組情報等と多重化して一つのチャネルにて放送することができる。
【図面の簡単な説明】
【図１】本発明の概略ブロック図
【図２】編成変更情報記憶手段の模式図
【図３】リモコンの概略図
【図４】録画予約用画面の概略図
【図５】録画予約の確認画面の概略図
【図６】予約テーブルを示す図
【図７】編成変更情報を示す図
【図８】本発明の録画処理を示すフローチャート
【図９】本発明の概略ブロック図
【図１０】ＥＰＧを実現するための提供される番組表を示す図
【図１１】番組の放送開始時刻が変更された場合を示す図。
【符号の説明】
１００　送信装置
１０２　番組情報記憶手段
１０４　編成変更情報作成手段
１０５　編成変更情報記憶サーバ
１０６　多重化手段
１０７　編成情報入力端末
２００　受信装置
２０４　予約制御手段
２０５　スピーカ
２０６　モニタ
２０７　記憶手段
【図１】
2004072443.tif 000003
【図２】
2004072443.tif 000004
【図３】
2004072443.tif 000005
【図４】
2004072443.tif 000006
【図５】
2004072443.tif 000007
【図６】
2004072443.tif 000008
【図７】
2004072443.tif 000009
【図８】
2004072443.tif 000010
【図９】
2004072443.tif 000011
【図１０】
2004072443.tif 000012
【図１１】
2004072443.tif 000013